(57)【要約】【課題】  本発明は、潜像画像の視認性や視覚効果が、観察環境中に存在する光源の位置や、光源の数に影響を強く受けることがなく、様々な環境下で安定して効果が発揮される、認証性に優れた潜像印刷物に関する。【解決手段】  明暗フリップフロップ性又はカラーフリップフロップ性の少なくとも一方の特性を有する蒲鉾状曲画線群の上に、正反射時において蒲鉾状曲画線群の色彩とは異なる色彩を有する潜像画線群が積層されている。蒲鉾状曲画線群は、蒲鉾状画線が曲万線状に規則的に配置されており、その上に、基画像を分割した画像を所定の縮率で圧縮した潜像画線が重なっている。正反射光下で観察した場合、基画像が出現し、基材に対してどの方向から観察しても潜像画像が動いて見える。【選択図】  図２
2014151557.tif 000002
【特許請求の範囲】
【請求項１】
基材上の少なくとも一部に印刷画像を備え、
前記印刷画像は、明暗フリップフロップ性又はカラーフリップフロップ性の少なくともどちらか一方の特性を有する蒲鉾状曲画線群の上に、正反射時において前記蒲鉾状曲画線群の色彩とは異なる色彩を有する潜像画線群が積層されており、
前記蒲鉾状曲画線群は、蒲鉾状画線が、特定のピッチで曲万線状に規則的に配置されて成り、
前記潜像画線群は、基画像を分割した画像を所定の縮率で圧縮して形成したそれぞれ形状の異なる潜像画線が、前記特定のピッチで、前記蒲鉾状画線と同じ規則に従って複数配置されて成り、
前記蒲鉾状画線の少なくとも一部に、前記潜像画線の少なくとも一部が重なって形成され、
前記基材を正反射光下で観察した場合、前記基画像が潜像画像として出現し、その観察角度から前記基材をどの方向に変化させても、前記潜像画像が動いて見えることを特徴とする潜像印刷物。
【請求項２】
前記蒲鉾状画線は、楕円を含む円、円弧、波線を成す曲線であることを特徴とする請求項１記載の潜像印刷物。
【請求項３】
前記蒲鉾状画線が楕円を含む円の場合、前記蒲鉾状画線群の円心に前記潜像画線群が重なって形成されることを特徴とする請求項１又は２記載の潜像印刷物。
【請求項４】
前記基画像が二つの場合、
前記印刷画像は、第一の印刷画像と第二の印刷画像から成り、
前記第一の印刷画像は、蒲鉾状曲画線群の上に、第一の基画像を分割して形成した第一の潜像画線を前記蒲鉾状画線と同じ規則に従って複数配置されて成る第一の潜像画線群が積層されており、
前記第二の印刷画像は、前記第一の画像と同じ又は異なり、前記蒲鉾状曲画線群の上に、第二の基画像を分割して形成した第二の潜像画線を前記蒲鉾状画線と同じ規則に従って複数配置されて成る第二の潜像画線群が積層されており、
前記第一の潜像画線と前記第二の潜像画線は、重ならないように形成され、
前記第一の潜像画線及び前記第二の潜像画線のうち、一方の潜像画線が、一方の前記潜像画線と対を成す前記蒲鉾状画線の中心を軸にミラー反転されて成り、
前記基材を正反射光下で観察した場合、前記第一の基画像及び前記第二の基画像が、それぞれ第一の潜像画像及び第二の潜像画像として出現し、その観察角度から前記基材をどの方向に変化させても、前記第一の潜像画像と前記第二の潜像画像が、相反する方向に動いて見えることを特徴とする請求項１乃至３のいずれか一項に記載の潜像印刷物。
【発明の詳細な説明】
【技術分野】
【０００１】
本発明は、偽造防止効果を必要とする銀行券、パスポート、有価証券、身分証明書、カード及び通行券等のセキュリティ印刷物の分野において、光が入射することで、遠近感のある潜像画像が出現し、加えて光の入射角度の変化に応じて潜像画像に動きが生じる動画的な視覚効果を備えた潜像印刷物であって、特に、観察環境中の光の状態に関わらず安定した効果を発揮する、真偽判別性の高い潜像印刷物に関する。
【背景技術】
【０００２】
銀行券、パスポ−ト、有価証券及び身分証明書等に代表されるセキュリティ印刷物には、複製や偽造を防止するために、偽造防止技術が必要とされている。また、偽造防止技術の中でも、すかしやホログラム等に代表されるように、道具を必要とせず、印刷物を手にした全ての人が真偽判別に利用することができる偽造防止技術が特に必要とされている。
【０００３】
この中でも、画像が動いて見える、いわゆる、「動画的な視覚効果」を備えた偽造防止技術が特に注目されている。画像が動いて見える動画的な視覚効果（以下、「動画効果」という。）は、人目を惹きやすく、また偽造することが困難であることから、近年、セキュリティ印刷物の真偽判別要素として多く用いられる傾向にある。
【０００４】
動画効果を実現可能な公知技術としてパララックスバリア、レンチキュラー、ホログラム等を用いた技術が存在し、これらの技術が備える、わずかな角度変化で画像を変化させられるという特徴を活かして、画像が立体的に視認される効果や、動画効果を備えたセキュリティ印刷物はすでに広く存在している。
【０００５】
しかし、一般的なパララックスバリアやレンチキュラーを用いて動画効果を実現した場合、クリア層かレンズが必要となることから、基材がほぼプラスティックに限定される上、印刷物には、一定の厚み（少なくとも１５０μｍ程度）が必要となり、一般に流通する印刷物に許される厚さを超えるため、厚さに制限のある印刷物には用いることができず、一定の厚みが許されるプラスティック製カード以外には採用されない傾向にある。
【０００６】
また、ホログラムは極めて薄く仕上げることは可能であり、銀行券を代表とする各種セキュリティ印刷物に用いられているものの、一般的な印刷物と比較すると、製造工程の複雑さと高い製造コストに大きな問題がある。
【０００７】
以上の問題を解決するため、本出願人は、高い光沢を有し盛り上がりを有する蒲鉾状の画線に光が入射した場合に、盛り上がりを有する蒲鉾状の画線のうち、入射する光と法線を成す面のみが強く光を反射する現象を利用した、立体効果及び動画効果を形成することが可能な印刷技術をすでに出願している（例えば、特許文献１参照）。
【０００８】
本技術は、インテグラルフォトグラフィと呼ばれる立体画像の撮像方法によって得られる画像を画像処理によって形成したもので、優れた動画効果を実現することができる技術である。この技術は、パララックスバリアやレンチキュラーの１０分の１程度の厚さで形成することが可能であり、製造技術も従来からある製版技術と印刷技術を活用することで、比較的複雑な画像を表現することができ、かつ、一般的な印刷物と同じコストで動画効果を備えた印刷画像を形成することができるという優れた特徴を有する。
【先行技術文献】
【特許文献】
【０００９】
【特許文献１】特開２０１１−１２６０２８号公報
【発明の概要】
【発明が解決しようとする課題】
【００１０】
しかしながら、特許文献１の技術は、正反射光下で優れた動画効果を発揮する技術であるものの、その動画効果や潜像画像出現の原理が、盛り上がりを有する画線が正反射することによって生じる光のコントラストを利用するために、観察環境中の光の状態の影響を強く受け、印刷画像を観察する環境によって動画効果や潜像画像の視認性が大きく左右されてしまうという問題があった。
【００１１】
具体的には、図４５に示すように、第三の方向（図中Ｓ３方向）の画線方向を有する、盛り上がりのある画線が、第一の方向（図中Ｓ１方向）に連続して配置されている画線構成で印刷画像が形成されている場合、画線方向と直交する方向である、すなわち、第一の方向から光が入射した場合には、印刷画像は良好な動画効果を発揮し、潜像画像の視認性も高くなるのに対し、第一の方向以外の方向である、すなわち、第二の方向（図中Ｓ２方向）や第三の方向から光が入射した場合、動画効果は弱くなり、潜像画像の視認性が低くなる。特に、画線方向と平行な第三の方向から光が入射した場合には、動画効果は最も弱くなり、潜像画像の視認性も最も低くなる。
【００１２】
また、特に画線方向と平行な第三の方向からのみ光が入射した場合には、潜像画像の視認性や動画効果が低下するという「所望の効果が低下する」という問題に留まらず、印刷画像の中に真偽判別のための基準となるべき潜像画像自体が視認されず、その変わりに潜像要素群全体が弱く浮かび上がって不明瞭な画像として観察されてしまうという「所望の効果以外の別の効果が生じる」という真偽判別上、致命的な問題が発生する可能性があり、偽造防止技術としての信頼性自体が失われる可能性があった。
【００１３】
この原因とは、以下のとおりである。特許文献１に記載の技術は、盛り上がりを有する画線の表面に、基画像を圧縮して形成した潜像要素群が重なった構造を有する。潜像画像は、盛り上がりを有する画線の一部の表面が光を強く正反射し、その上に重なった潜像要素群の一部が選択的にサンプリングされることで潜像画像として基画像が再現され、また盛り上がりを有する画線の正反射する表面の位相が変化することによって、基画像が動いて見える動画効果を生じる。そのため、動画効果を生じさせるためには、盛り上がりを有する画線の狭い一部の表面のみが強く正反射することが必要である。
【００１４】
しかしながら、画線方向と直交する方向から盛り上がりを有する画線に光が入射した場合、盛り上がりを有する画線表面のうちの、光と直交した一部の画線表面のみが強く光を正反射するのに対し、画線方向と平行な方向から光が入射した場合には、盛り上がりを有する画線表面のうち、光を反射する画線表面の範囲が広がってしまい、最悪の場合、画線表面全体で均一に光を正反射してしまう。
【００１５】
そのため、盛り上がりを有する画線表面の狭い一部の範囲ではなく、広い範囲で光を正反射してしまう場合には、潜像画像の視認性や動画効果が低下する問題が生じ、盛り上がりを有する画線表面全体が均一に光を正反射する最悪の場合には、潜像要素群全体がサンプリングされてしまい、潜像要素群自体が出現するという問題が生じる可能性があった。
【００１６】
以上のように、特許文献１に記載の技術は、観察する環境にある光源から印刷物に入射する光の入射角度によっては、動画効果が弱くなる場合や潜像画像の視認性が大きく低下したり、不明瞭な画像が出現したりする場合があった。セキュリティ印刷物に付与される偽造防止技術は、人々がその効果を確認することによって真偽判別の基準とするものであり、観察条件によってその効果や視認性が大きく左右され、想定していない画像が出現する等、課題が残されていた。
【００１７】
また、特許文献１に記載の技術は、盛り上がりを有する画線の画線方向が一つの方向に固定されているため、出現した潜像画像の動く方向も一つの方向に限定されてしまい、動きのバリエーションが乏しく、動画効果デザイン上の制約になっていた。
【課題を解決するための手段】
【００１８】
本発明における潜像印刷物は、基材上の少なくとも一部に印刷画像を備え、印刷画像は、明暗フリップフロップ性又はカラーフリップフロップ性の少なくともどちらか一方の特性を有する蒲鉾状曲画線群の上に、正反射時において蒲鉾状曲画線群の色彩とは異なる色彩を有する潜像画線群が積層されており、蒲鉾状曲画線群は、蒲鉾状画線が、特定のピッチで曲万線状に規則的に配置されて成り、潜像画線群は、基画像を分割した画像を所定の縮率で圧縮して形成したそれぞれ形状の異なる潜像画線が、特定のピッチで、蒲鉾状画線と同じ規則に従って複数配置されて成り、蒲鉾状画線の少なくとも一部に、潜像画線の少なくとも一部が重なって形成され、基材を正反射光下で観察した場合、基画像が潜像画像として出現し、その観察角度から基材をどの方向に変化させても、潜像画像が動いて見えることを特徴とする。
【００１９】
本発明における潜像印刷物は、蒲鉾状曲万線が、楕円を含む円、円弧、波線を成す曲線であることを特徴とする。
【００２０】
本発明における潜像印刷物は、蒲鉾状画線が楕円を含む円の場合、蒲鉾状画線群の円心に潜像画線群が重なって形成されることを特徴とする。
【００２１】
本発明における潜像印刷物は、基画像が二つの場合、印刷画像は、第一の印刷画像と第二の印刷画像から成り、第一の印刷画像は、蒲鉾状曲画線群の上に、第一の基画像を分割して形成した第一の潜像画線を蒲鉾状画線と同じ規則に従って複数配置されて成る第一の潜像画線群が積層されており、第二の印刷画像は、第一の画像と同じ又は異なり、蒲鉾状曲画線群の上に、第二の基画像を分割して形成した第二の潜像画線を蒲鉾状画線と同じ規則に従って複数配置されて成る第二の潜像画線群が積層されており、第一の潜像画線と第二の潜像画線は、重ならないように形成され、第一の潜像画線及び第二の潜像画線のうち、一方の潜像画線が、一方の潜像画線と対を成す蒲鉾状画線の中心を軸にミラー反転されて成り、基材を正反射光下で観察した場合、第一の基画像及び第二の基画像が、それぞれ第一の潜像画像及び第二の潜像画像として出現し、その観察角度から基材をどの方向に変化させても、第一の潜像画像と第二の潜像画像が、相反する方向に動いて見えることを特徴とする。
【発明の効果】
【００２２】
本発明の潜像印刷物において、盛り上がりを有する画線は、従来の技術のように一定の画線方向に伸びる直線に限定されず、様々な画線角度を成す曲万線によって構成されるため、あらゆる角度から入射する光に対して、少なくとも印刷物中のいずれかの部分には優れた動画効果が生じ、かつ、潜像画像は高い視認性で再現されるため、従来の技術のように印刷画像全体の効果や視認性が極端に低下する入射角度が存在せず、あらゆる観察環境で安定して真偽判別することができる。
【００２３】
盛り上がりを有する画線は、従来の技術のように一定の画線方向に伸びる直線に限定されず、様々な画線角度を成す曲万線によって構成されるため、特に潜像要素群の作製にあたって、従来技術とは違った工夫が必要であり、偽造がより困難となり、偽造抵抗力が高まった。
【００２４】
従来の技術のように特定の光の入射角度において、出現を意図していない不明瞭な画像が観察者に視認されることがなくなり、偽造防止技術としての信頼性が高まった。
【００２５】
盛り上がりを有する画線は、曲万線によって構成されるため、潜像画像の動く方向は一つの方向だけに制限されることなく、曲万線の角度を変えることによって、あらゆる方向に自由に動かすことができ、動画効果デザイン上の制約が小さい。
【図面の簡単な説明】
【００２６】
【図１】本発明の潜像印刷物を示す。
【図２】本発明の潜像印刷物の構成の概要を示す。
【図３】本発明の曲万線状の形態を示す。
【図４】本発明の蒲鉾状曲画線群を示す。
【図５】本発明の円弧の画線方向と直交する方向を示す。
【図６】本発明の潜像画線群を示す。
【図７】本発明の蒲鉾状曲画線群と潜像画線群の位置関係を示す。
【図８】本発明の潜像画線群の一潜像画線の作製方法を示す。
【図９】本発明の潜像画線群の作製方法を示す。
【図１０】本発明の潜像印刷物における効果を示す。
【図１１】本発明の潜像印刷物と従来の技術の効果の差異を示す。
【図１２】本発明の潜像印刷物の入射光と可視化される画像領域の関係を示す。
【図１３】本発明の潜像印刷物を示す。
【図１４】本発明の潜像印刷物の構成の概要を示す。
【図１５】本発明の蒲鉾状曲画線群を示す。
【図１６】本発明の潜像画線群を示す。
【図１７】本発明の潜像画線群の一潜像画線の作製方法を示す。
【図１８】本発明の潜像画線群の作製方法を示す。
【図１９】本発明の潜像印刷物における効果を示す。
【図２０】本発明の潜像印刷物を示す。
【図２１】本発明の潜像印刷物における効果を示す。
【図２２】本発明の潜像印刷物を示す。
【図２３】本発明の潜像印刷物の構成の概要を示す。
【図２４】本発明の蒲鉾状曲画線群を示す。
【図２５】本発明の潜像画線群を示す。
【図２６】本発明の蒲鉾状曲画線群と潜像画線群の位置関係を示す。
【図２７】本発明の潜像画線群の一潜像画線の作製方法を示す。
【図２８】本発明の潜像画線群の作製方法を示す。
【図２９】本発明の潜像印刷物における効果を示す。
【図３０】本発明の潜像印刷物と従来の技術の効果の差異を示す。
【図３１】本発明の潜像印刷物を示す。
【図３２】本発明の潜像印刷物の構成の概要を示す。
【図３３】本発明の蒲鉾状曲画線群を示す。
【図３４】本発明の潜像画線群を示す。
【図３５】本発明の潜像画線群の一潜像画線の作製方法を示す。
【図３６】本発明の潜像印刷物における効果を示す。
【図３７】本発明の潜像印刷物の構成の概要を示す。
【図３８】本発明の潜像印刷物における効果を示す。
【図３９】本発明の潜像印刷物を示す。
【図４０】本発明の潜像印刷物の構成の概要を示す。
【図４１】本発明の蒲鉾状曲画線群を示す。
【図４２】本発明の潜像画線群を示す。
【図４３】本発明の蒲鉾状曲画線群と潜像画線群の位置関係を示す。
【図４４】本発明の潜像印刷物における効果を示す。
【図４５】従来の技術における問題点を示す。
【発明を実施するための形態】
【００２７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２８】
（第一の実施の形態）
本発明における第一の実施の形態について、図１から図１２を用いて説明する。
【００２９】
図１に、本発明における第一の実施形態の潜像印刷物（１）を示す。潜像印刷物（１）は、基材（２）上の少なくとも一部に、印刷画像（３）を有する。基材（２）は、印刷画像（３）を形成することができるのであれば、紙、フィルム及び金属等、いかなる材質でも良く、その色彩は、いかなる色彩でも良い。また、印刷画像（３）もいかなる色彩でも良い。すなわち、透明又は半透明としても良く、特定の色相を有していても良い。
【００３０】
図２に、本発明の印刷画像（３）の構成の概要を示す。印刷画像（３）は、Ａ−Ａ´断面図に示すように、盛り上がりを有する曲万線で構成された蒲鉾状曲画線群（４）の上に、潜像画線群（５）が積層されて成る。
【００３１】
図３に、蒲鉾状曲画線群（４）の詳細を示す。蒲鉾状曲画線群（４）は、盛り上がりを有する蒲鉾状画線（６）が、曲万線状に特定のピッチで規則的に複数配置されて成る。
【００３２】
図４に、蒲鉾状画線（６）が、曲万線状に特定のピッチで規則的に複数配置されている形態を示す。本発明でいう曲万線状とは、図４(ａ)に示すように、画線方向が一方向に固定された真っ直ぐな線（直線）ではなく、図４（ｂ）〜（ｄ）に示すように、画線方向が連続的に変化するような曲がった線（曲線）を指す。
【００３３】
具体的には、図４（ｂ）に示すように、画線が曲万線状に特定のピッチ（Ｐ１）で規則的に複数配置された円状（楕円を含む）の形態、図４（ｃ）に示すように、画線が、曲万線状に特定のピッチ（Ｐ１）で規則的に複数配置された円弧状の形態、図４（ｄ）に示すように、画線が、曲万線状に特定のピッチ（Ｐ１）で規則的に複数配置された波線状の形態が挙げられる。
【００３４】
このように、曲万線状とは、蒲鉾状曲画線群（４）を形成している蒲鉾状画線（６）が、全て画線方向が連続的に変化する曲線から形成されており、その曲線が特定のピッチで規則的に配置されている形態のことである。
【００３５】
ただし、蒲鉾状曲画線群（４）の形態（図柄）によっては、蒲鉾状画線（６）の一部分が直線状となる場合がある。このような図柄の都合により、蒲鉾状画線（６）の一部分が直線状となったとしても、本発明の意図する効果に影響を及ぼすことはないため、本発明の構成の範疇とする。
【００３６】
第一の実施の形態では、特定の円心を有し、同心円のように直径がＸ側からＸ´側の方向に徐々に大きくなる円弧であり、一定の画線幅（Ｗ１）を有する蒲鉾状画線（６）が、特定のピッチ（Ｐ１）で、円弧の画線方向と直交する方向に連続して配置されて蒲鉾状曲画線群（４）を構成している。
【００３７】
本発明でいう画線方向について説明する。従来技術のように蒲鉾状画線（６）が画線である場合、図５(ａ)に示すように画線方向は画線と一致し、画線方向と直交する方向は、画線と直交する方向となる。
【００３８】
一方、本発明でいう円弧の画線方向と、円弧の画線方向と直交する方向とは、図５（ｂ）に示すように、円弧のそれぞれの位置で連続的に変化する。具体的には、円弧上のそれぞれの地点で円弧と画線方向を成す方向が、それぞれの地点での円弧の画線方向（図中、画線方向１、画線方向２、画線方向３）であり、円弧上のそれぞれの地点で接線を成す方向と直交する方向である、すなわち、法線方向が円弧の画線方向と直交する方向となる。つまり、曲線の場合の画線方向とは、円弧状のそれぞれの接線と同意である。
【００３９】
また、本発明における画線とは、印刷の最小単位である網点を一定の距離で隙間なく、連続して配置した画像要素であって、点線、破線、分断線及び分岐線等が含まれる。
【００４０】
以上のような構成の蒲鉾状曲画線群（４）を、印刷画線に盛り上がりを形成することができる印刷方式によって形成する。出現する潜像画像に一定の視認性を確保するためには、蒲鉾状画線（６）の盛り上がり高さは３μｍ以上必要であるため、スクリーン印刷や凹版印刷等で形成することが望ましいが、グラビア印刷やフレキソ印刷、ＩＪＰ、凸版印刷等であってもこの程度の画線の盛り上がり高さを形成することは可能である。また、盛り上がりの高さの上限に関しては、特に制限はないが、大量に積載した場合の安定性や耐摩擦性、流通適性等を考慮して、１ｍｍ以下とする。
【００４１】
また、蒲鉾状画線（６）は、明暗フリップフロップ性又はカラーフリップフロップ性を備える必要がある。明暗フリップフロップ性とは、正反射した場合に明度が上昇する特性を指し、カラーフリップフロップ性とは、色相が変化する特性を指す。すなわち、蒲鉾状画線（６）は、光が入射した場合に、明度や色相が変化することで、色彩が大きく変化する特性を有する必要がある。色彩の変化の大きさが大きければ大きいほど、出現する潜像画像の視認性は高くなる。
【００４２】
前述のような盛り上がりを有する画線に明暗フリップフロップ性を付与する方法の一例としては、高光沢なインキ樹脂を用いたり、インキ中に金属顔料を混合したりすることで容易に実現することができる。カラーフリップフロップ性を付与できる機能性材料の一例としては、パール顔料、コレステリック液晶、ガラスフレーク顔料、金属粉顔料及び鱗片状金属顔料等が考えられる。
【００４３】
図６に、潜像画線群（５）の詳細を示す。潜像画線群（５）は、いくつかの塊の画像が集まって一つの潜像画線群（５）となっているが、説明の便宜上、ある一塊の潜像画線群（５Ａ）を選択して説明する。潜像画線群（５Ａ）は、潜像画線（７）が蒲鉾状曲画線群（４）と同じ規則に従って複数配置されて成る。
【００４４】
ここでいう蒲鉾状曲画線群（４）と「同じ規則」とは、前述の蒲鉾状曲画線群（４）における規則と、画線幅以外の規則が同じであることを指す。すなわち、特定の円心を有し、同心円のように直径がＸ側からＸ´側の方向に徐々に大きくなる円弧であり、一定の画線幅（Ｗ２）を有する潜像画線（７）が、特定のピッチ（Ｐ１）で円弧の画線方向と直交する方向に連続して配置されて潜像画線群（５Ａ）を構成している。
【００４５】
図７に、蒲鉾状曲画線群（４）と潜像画線群（５）の配置関係を示す。蒲鉾状曲画線群（４）を構成するそれぞれの蒲鉾状画線（６）と、潜像画線群（５）を構成するそれぞれの潜像画線（７）は、お互いに対を成す関係にある。
【００４６】
本明細書における「対を成す」とは、潜像画線（７）が配置される部分における蒲鉾状画線（６）と潜像画線（７）の関係が、一つの蒲鉾状画線（６ｉ）に対して、これと一対一で対応する潜像画線（７ｉ）が配置されている構成のことをいう。言い換えると、一つの蒲鉾状画線（６ｉ）には、一つの潜像画線（７ｉ）のみしか配置されない。
【００４７】
例えば、蒲鉾状画線（６ｉ）と潜像画線（７ｉ）は、画線幅以外の画線構成に関するパラメータである、すなわち、円心の位置、画線の円心からの距離、曲率及び画線方向等は、それぞれ完全に一致する関係にあって、適正な位置関係で重ね合わせた場合には、画線中心が完全に一致する。
【００４８】
また、蒲鉾状画線（６ｉ）と隣り合う蒲鉾状画線（６ｉ＋１）においても、蒲鉾状画線（６ｉ＋１）と潜像画線（７ｉ＋１）は、対を成す関係にあり、その他の画線についても同様である。
【００４９】
なお、それぞれの画線幅（Ｗ１、Ｗ２）は一致する必要はないが、一致しても問題ない。第一の実施の形態においては一致しており、画線幅（Ｗ１とＷ２）は同じ値であり、蒲鉾状曲画線群（４）と潜像画線群（５）を適正な位置関係で重ね合わせた場合には、それぞれ対を成す蒲鉾状画線（６）と潜像画線（７）は、それぞれ重なり合う関係にある。
【００５０】
続いて、潜像画線群（５Ａ）及び潜像画線（７）の形成方法について、図８を用いて説明する。図８（ａ）は、正反射光下で出現する潜像画像の基となる基画像（８）である。第一の実施の形態においては、桜の花びらの画像が基画像（８）である。潜像画像を印刷画像（３）の特定の位置に出現させることを想定して、基画像（８）を印刷画像（３）中に配置した場合に、基画像（８）と重なる位置関係にあるそれぞれの蒲鉾状画線（６）に対して、それぞれに対を成すだけの潜像画線（７）を作製する必要がある。
【００５１】
ここでは、基画像（８）のほぼ中央に重なった蒲鉾状画線（６ｉ）と対を成す潜像画線（７ｉ）の作製方法について説明する。図８（ｂ）に、基画像（８）と蒲鉾状画線（６ｉ）の位置関係を示す。この蒲鉾状画線（６ｉ）と対を成す潜像画線（７ｉ）を作製するためには、以下の手順を取る。
【００５２】
まず、図８（ｃ）に示すように、蒲鉾状画線（６ｉ）の中心から均等な距離（Ｈ／２）に２つの画線（６ｆｉ）を配置する。続いて、図８（ｄ）に示すように、２つの画線（６ｆｉ）に挟まれた基画像（８ｉ）だけを選択して取り出す。
【００５３】
次に、図８（ｅ）に示すように、取り出した基画像（８ｉ）を蒲鉾状画線（６ｉ）の中心に向かって、特定の縮率で蒲鉾状画線（６ｉ）に沿って画線幅Ｗ２に圧縮する。これによって、図８（ｆ）に示す蒲鉾状画線（６ｉ）と対を成す潜像画線（７ｉ）が完成する。
【００５４】
なお、潜像画線（７）の画線幅Ｗ２とは、蒲鉾状画線（６）の画線幅Ｗ１とは異なり、全ての画線の幅が必ずしもＷ２の値となる必要があるわけではない。潜像画線（７）の画像を配置することができる領域としてＷ２の幅が割り当てられるものの、基画像（８）がその領域に含まれなければ画像自体は構成されないため、潜像画線（７）の画像自体はＷ２以下の幅と成る。そのため、潜像画線（７）の画線幅とは、Ｗ２以下の大きさで変動するものであって、画線幅Ｗ２とは、潜像画線（７）が取りうる最大の画線幅を指すが、説明を簡便にするため、潜像画線（７）の画線幅をＷ２と記載する。
【００５５】
この作業を繰り返して、それぞれの潜像画線（７）を作製し、対となる蒲鉾状画線（６）と同じ位置に配置する。すなわち、図９に示すように、ある蒲鉾状画線（６ｉ−１０）に対応した潜像画線（７ｉ−１０）は、基の蒲鉾状画線（６ｉ−１０）と重なる位置に、また、異なる蒲鉾状画線（６ｉ）に対応した潜像画線（７ｉ）は、基の蒲鉾状画線（６ｉ）と重なる位置に、また、異なる別の蒲鉾状画線（６ｉ＋１０）に対応した潜像画線（７ｉ＋１０）は、基の蒲鉾状画線（６ｉ＋１０）と重なる位置に配置することで、潜像画線群（５Ａ）ができあがる。
【００５６】
以上の手順で作製した潜像画線群（５）を図７に示したように、それぞれ対と成る蒲鉾状画線（６）と潜像画線（７）とが重なり合う位置関係として重ね合わせることで、印刷画像（３）が完成する。
【００５７】
本発明においては、対を成す蒲鉾状画線（６）と潜像画線（７）の中心が正確に重なり合うことが望ましい。ただし、作製に使用する印刷機の精度によっては、蒲鉾状画線（６）と潜像画線（７）とが意図したとおりに正確に重ならず、わずかにずれが生じる場合がある。
【００５８】
このような製造上の都合により、それぞれの蒲鉾状画線（６）の中心と潜像画線（７）の中心がずれて形成された場合のうち、対となる蒲鉾状画線（６）と潜像画線（７）とが平行に重なり、かつ、蒲鉾状画線（６）の画線中心と潜像画線（７）の中心のズレの量がそれぞれの対で同じ量であれば、本発明の意図する効果は少なくとも発現するため、このようなズレが生じた場合も、本発明の構成の範疇とする。
【００５９】
潜像画線群（５）は、盛り上がりは必須ではないことから、如何なる印刷方式で形成しても良い。生産性を考えれば、オフセット印刷で形成することが最も好ましい。正反射光下で潜像画像を可視化するために、潜像画線（７）は正反射時に蒲鉾状画線（６）との間に色差が生じる必要があり、少なくとも反射時の色彩が蒲鉾状画線（６）の正反射時の色彩と異なっている必要がある。
【００６０】
また、潜像画線（７）は、蒲鉾状画線（６）の上に重ねて形成されるために、潜像画線（７）下の蒲鉾状画線（６）に入射する光を遮断し、正反射光下で生じる蒲鉾状画線（６）の色彩変化を抑制する働きを成す。したがって、潜像画線（７）が重なっているか否かによって、蒲鉾状画線（６）の正反射時の色彩に、より大きな違いが生じるため、潜像画像の視認性をより高めるためには、潜像画線（７）は高い光遮断性を備えていることが望ましい。
【００６１】
そのため、潜像画線（７）を印刷で形成する場合には、低光沢なマットインキを用いることが望ましい。また、これらのインキにチタンのような光遮断性の高い機能性材料を配合すると、より高い効果を得ることができる。
【００６２】
さらに、潜像画線（７）は、拡散反射光下では不可視であることが望ましいことから、無色透明か、半透明程度の色彩であることが望ましい。ただし、品質管理を容易にするために、わずかに着色顔料を配合してインキを着色したり、透明インキに蛍光顔料を配合して、ＵＶランプを用いて脱刷や印刷不良等の異常を管理することもできる。
【００６３】
また、潜像画線（７）は、版面を用いる印刷機で形成するだけでなく、プリンター等のデジタル印刷機を用いて形成しても良い。また、潜像画線（７）にあたる画像を、蒲鉾状画線（６）を切削して付与することで形成することもできる。このような切削は、レーザー加工機を用いることで容易に実施することができる。レーザーが照射された蒲鉾状画線（６）は、多くの場合明暗フリップフロップ性やカラーフリップフロップ性が失われるか、大きく低下するために、本発明で潜像画線（７）に必要とする特性を付与することができる。これらのプリンターやレーザー加工機を用いる場合には、一枚一枚異なる情報を与える可変情報を容易に付与することができるという特徴がある。
【００６４】
図１０に、本発明の効果を示す。印刷画像（３）に強い光が入射しない拡散反射光下においては、潜像画像は不可視であり、単に印刷画像（３）のみが視認される（図示せず）。一方の正反射光下においては、桜の花びらを表した潜像画像が光のコントラストによって出現する。
【００６５】
図１０（ａ）、図１０（ｂ）及び図１０（ｃ）に示すように、光に対する潜像印刷物（１）の傾きを変えて観察することによって、印刷画像（３）中の潜像画像の位置が変化し、潜像画像がそれぞれの蒲鉾状画線（６）と直交する方向に動いているように見える。本実施の形態においては、傾きが大きくなるにしたがって、Ａ´側からＡ側へと潜像画像が動いているように見える。
【００６６】
以上のような効果が生じる原理について説明する。例えば、潜像印刷物（１）のＡ側の方向から光が入射した場合、蒲鉾状曲画線群（４）を形成している盛り上がりを有する蒲鉾状画線（６）表面のうち、光を強く正反射するのは、それぞれの画線中心からＡ側にあたる画線表面のみであり、逆に、潜像印刷物（１）のＡ´側の方向から光が入射した場合、蒲鉾状画線（６）表面のうち、光を強く正反射するのは、それぞれの画線中心からＡ´側の方向にあたる画線表面のみである。
【００６７】
以上のように、蒲鉾状画線（６）のような、盛り上がりを有する画線が光を反射する場合、入射する光に対して入射光と法線を成す画線表面を中心に光を反射しており、言い換えれば、入射する光の角度に応じて、盛り上がりを有する画線表面のうち、強く光を反射する領域は変化している。
【００６８】
また、蒲鉾状曲画線群（４）を形成している盛り上がりを有する蒲鉾状画線（６）は、ほぼ相似の立体構造の画線が特定のピッチで規則的に繰り返し配置されていることから、蒲鉾状曲画線群（４）の中の光を反射する領域は、特定のピッチで規則的に生じる。
【００６９】
蒲鉾状画線（６）の表面には、それぞれ潜像画線（７）が形成されていることから、蒲鉾状画線（６）が光を強く反射した場合には、その画線上に重ねられた潜像画線（７）と蒲鉾状画線（６）とは異なる色彩に変化し、それまで隠蔽されていた潜像画線（７）が可視化される。
【００７０】
この場合、可視化される潜像画線（７）は、蒲鉾状画線（６）のうち、光を強く反射した領域に重ねて形成された潜像画線（７）のみであり、それ以外の領域に重ねられて形成された潜像画線（７）は、隠蔽されたままとなる。
【００７１】
蒲鉾状画線（６）には、特定のピッチで光を強く反射する領域が形成されるため、潜像画線（７）も特定のピッチで可視化される。潜像画線群（５）は、基画像（８）から蒲鉾状画線（６）と同じピッチで取り出した画像を、一定の割合で圧縮して蒲鉾状画線（６）と同じピッチで配置して形成しているため、蒲鉾状画線（６）と同じピッチで画像をサンプリングした場合には、基画像（８）と同じ画像が潜像画像として再現される。
【００７２】
この際、サンプリングされる幅である、すなわち、それぞれの蒲鉾状画線（６）が光を強く反射する領域の幅が狭い方が、出現する潜像画像はより基画像（８）に近く、輪郭がシャープで、かつ、画像全体が明瞭に再現される。
【００７３】
逆に、その幅が広い場合には、より潜像画線群（５）に近く、輪郭がぼやけ、不明瞭な状態で再現されてしまう。この状態を防ぐためには、それぞれの盛り上がりを有する画線が光を強く反射する領域を狭くする必要があり、盛り上がりを有する画線の高さを、より高くすることが有効である。
【００７４】
観察者の視点が動いたり、潜像印刷物（１）を傾けた場合には、光が入射する角度が変化するために、蒲鉾状画線（６）の表面のうち、光を反射する領域も移動することから、それに伴って潜像画線（７）のサンプリングされる領域も移動することで、観察者には出現した基画像（１０）が動いて見える。
【００７５】
また、潜像印刷物（１）に正対して観察した場合、右眼と左眼とでは、入射した光が印刷物で反射して眼に入る角度がわずかに異なるため、蒲鉾状画線（６）の光を反射する画線表面もわずかに異なっている。このため、出現する潜像画像は、右眼から見た場合と左から見た場合では水平方向の位相が異なり、これによって両眼視差に起因する立体的な視覚効果が生じる。
【００７６】
例えば、潜像画像が右眼から見た場合よりも左眼から見た場合の方が、右にある場合には、潜像画像は印刷物の表面よりも手前にあるように感じられる。逆に、潜像画像が右眼から見た場合よりも左眼から見た場合の方が、左にある場合には潜像画像は、印刷物の表面よりも奥にあるように感じられる。
【００７７】
この立体的な視覚効果を生じさせるためには、観察者から見て水平方向に画像が動いて見える効果が必須であるため、蒲鉾状画線（６）を垂直方向に近い角度で並べたほうが、この効果は高くなる。
【００７８】
以上が、本発明の潜像印刷物（１）において、潜像印刷物（１）が光を強く反射した場合に潜像画像として基画像（８）が出現し、動画効果と立体的な視覚効果が生じる原理である。
【００７９】
本発明と従来の技術と差異の一つは、潜像画像の動きの方向の多様さにある。従来の技術においては、盛り上がりを有する画線の画線方向は一つの方向に制限されていたため、潜像画像の動く方向に制約があった。
【００８０】
例えば、図１１（ａ）に示すように、盛り上がりを有する画線の画線方向が垂直方向である場合には、潜像画像は水平方向にしか動けず、一方、図１１（ｂ）に示すように、盛り上がりを有する画線の画線方向が水平方向である場合には、潜像画像は水平方向にしか動けない。
【００８１】
本発明の潜像印刷物（１）においては、潜像画像の動く方向をあらかじめ決めておけば、盛り上がりを有する蒲鉾状画線（６）の画線方向を、動きの方向と直交した画線方向に設定することで、希望する方向に潜像画像を動かすことが可能となり、動画効果デザイン上の自由度が向上した。
【００８２】
また、従来技術のような一定の方向に潜像画像が動く効果と比較して、仮に同じ距離だけ潜像画像が動いた場合でも、複数の異なる方向に潜像画像が動いた場合にはその効果をより容易に認識することができる。このため、真偽判別技術に必須である判別性がより高まった。
【００８３】
従来技術は、特に、図１１（ａ）に示すように、盛り上がりを有する画線の画線方向が垂直方向である場合、例えば、第三の方向(図中Ｓ３方向)から光が入射した場合には、潜像画像がシャープに再現され、優れた動画効果が生じるものの、第二の方向(図中Ｓ２方向)から光が入射した場合には、潜像画像はややぼやけた画像となるとともに、動きは鈍くなり、第一の方向（図中Ｓ１方向）から光が入射した場合には、潜像画像は不明瞭な画像となるとともに、ほとんど動きが生じなくなる。
【００８４】
図１１（ｂ）も同様に、画線方向と平行な光に対しては、潜像画像はぼやけた画像となるとともに、ほとんど動きが生じない。以上のように、従来技術においては、特定の光の入射角度では優れた効果を発揮するものの、ある特定の入射角度では、その効果が失われるという問題があった。
【００８５】
一方、本発明の潜像印刷物（１）は、図１１（ｃ）に示すように、例えば、第三の方向(図中Ｓ３方向)から光が入射した場合に、印刷画像（３）のうちの３Ｃに示した領域において、潜像画像がシャープに再現され、動画効果も良好となる。
【００８６】
第二の方向(図中Ｓ２方向)から光が入射した場合には、印刷画像（３）のうちの３Ｂに示した領域において、潜像画像がシャープに再現され、動画効果も良好となり、第一の方向(図中Ｓ１方向)から光が入射した場合には、印刷画像（３）のうちの３Ａに示した領域において、潜像画像がシャープに再現され、動画効果も良好となる。
【００８７】
すなわち、第一から第三までのいかなる角度で光が入射した場合でも、印刷画像（３）の中の少なくとも一部の領域において、潜像画像がシャープに再現され、動画効果も良好である領域が存在する。特許文献１に記載の従来の技術においては、特定の光の入射角度において効果が低下したが、本発明の潜像印刷物（１）では、印刷画像（３）全体として効果が低下する光の入射角度がない。
【００８８】
様々な環境下で真偽判別のために機能することが望まれる偽造防止技術においては、あらゆる条件において判別機能が失われないことが大切であり、本発明の潜像印刷物（１）のこの効果は、偽造防止技術に望まれる性質を満たしているといえる。
【００８９】
また、蒲鉾状画線（６）は、曲万線によって構成されていることから、図１２に示すように、入射する光の角度が変化することで、蒲鉾状曲画線群（４）の光を反射する領域が変化し、美しい光のグラデーションが生じる。
【００９０】
例えば、第一の方向から光が入射した場合には、図１２（ａ）に示すように入射光と直交する蒲鉾状曲画線群（４）の集合で構成される３Ａの領域が強く光を反射する一方、３Ａの領域から離れるに従って、３Ｂの領域において光量はわずかずつ減り、３Ｃの領域はほとんど反射光を生じない。
【００９１】
また、第二の方向から光が入射した場合には、図１２（ｂ）に示すように入射光と直交する蒲鉾状曲画線群（４）の集合で構成される３Ｂの領域が強く光を反射する一方、３Ｂの領域から離れるに従って、３Ａと３Ｃの領域において光量はわずかずつ減る。
【００９２】
第三の方向から光が入射した場合には、図１２（ｃ）に示すように入射光と直交する蒲鉾状曲画線群（４）の集合で構成される３Ｃの領域が強く光を反射する一方、３Ｃの領域から離れるに従って、３Ｂの領域において光量はわずかずつ減り、３Ａの領域はほとんど反射光を生じない。
【００９３】
以上のように、入射する光の角度に応じて、美しい光の輪のようなグラデーションが生じる。また、この光のグラデーションは、潜像印刷物（１）の傾きを変えた場合、その動きに対応して瞬時にその光の輪が印刷画像（３）中で回転するように見えるため、人目を引きやすく、高い判別性を備える。
【００９４】
また、従来技術の構成では、盛り上がりを有する画線の画線方向と平行な方向から光が入射した場合、例えば、図１１（ａ）に示した構成では、第一の方向から光が入射した場合、潜像画像がぼやけて動画効果が生じないだけでなく、印刷画像中に潜像画線群全体が反射光の強弱によって浮かび上がってしまい、観察者に不完全な画像を視認されてしまうという問題があった。
【００９５】
これは、従来技術の構成では、盛り上がりを有する全ての画線が同じ画線方向を有するために、平行な方向から光が入射した場合には、盛り上がりを有する画線全体から均等なムラのない反射光が生じてしまい、潜像画線群の有無のみが必要以上に目立ってしまうことに起因していた。
【００９６】
偽造防止技術において、本来出現を意図していない不明瞭な画像が可視化されることは、所望の効果以外の異なった効果が発生するということであり、潜像画像の視認性や動画効果が低下するといった「所望の効果の低下」とは別の大きな問題であった。
【００９７】
本発明の潜像印刷物（１）において、例えば、第一の方向から光が入射した場合、３Ａの領域にシャープな潜像画像と優れた動画効果が生じる一方で、３Ｂと３Ｃの領域では、潜像画像がぼやけた画像となり、動画効果も低下する点では従来技術と同様である。
【００９８】
ただし、本発明の潜像印刷物（１）は、従来技術と異なり、３Ｂと３Ｃの領域において、潜像画線群（５）の有無によって生じる反射光の強弱よりも、隣接する３Ａの領域の反射光の強さや蒲鉾状画線（６）上に生じる光のグラデーションの反射光の強弱のほうが相対的に強いため、３Ｂと３Ｃに出現する潜像画像の視認性は相対的に低くなり、特に、３Ｃの領域に出現する画像は極めて認識しづらい。
【００９９】
このことから、本発明の潜像印刷物（１）においては、従来の技術のように潜像画線群全体が反射光の強弱によって浮かび上がりづらくなり、観察者に不完全な画像を視認されてしまう問題が大きく改善された。以上が、本発明の最も基本的な形態における、従来の技術との基本的な差異である。
【０１００】
（第二の実施の形態）
続いて、第一の実施の形態とほぼ同様な構成の潜像印刷物の一形態であって、第一の実施の形態の潜像画像とは逆方向に潜像画像が動く潜像印刷物について図１３から図１９を用いて説明する。
【０１０１】
図１３に、本発明における第二の実施形態の潜像印刷物（１−２）を示す。潜像印刷物（１−２）は、基材（２−２）上の少なくとも一部に、印刷画像（３−２）を有する。
【０１０２】
図１４に、本発明の印刷画像（３−２）の構成の概要を示す。印刷画像（３−２）は、Ａ−Ａ´断面図に示すように、盛り上がりを有し、曲万線状に構成された蒲鉾状曲画線群（４−２）の上に、潜像画線群（５−２）が積層されて成る。
【０１０３】
図１５に、蒲鉾状曲画線群（４−２）の詳細を示す。具体的な構成は、第一の実施の形態と同様に特定の円心を有し、同心円のように直径がＸ側からＸ´側の方向に徐々に大きくなる円弧であり、一定の画線幅（Ｗ１）を有する蒲鉾状画線（６−２）が、特定のピッチ（Ｐ１）で、円弧の画線方向と直交する方向に連続して配置されて蒲鉾状曲画線群（４−２）を構成している。
【０１０４】
以上のような構成の蒲鉾状曲画線群（４−２）を、Ａ−Ａ´断面図に示すように盛り上がりの有した形状で形成する。また、蒲鉾状画線（６−２）は、明暗フリップフロップ性又はカラーフリップフロップ性を備える。
【０１０５】
図１６に、潜像画線群（５−２）の詳細を示す。潜像画線群（５−２）は、いくつかの塊の画像が集まって一つの潜像画線群（５−２）と成っているが、説明の便宜上、一塊の潜像画線群（５Ａ−２）を選択して説明する。
【０１０６】
潜像画線群（５Ａ−２）は、潜像画線（７−２）が前述の蒲鉾状曲画線群（４−２）における規則と、同じ規則にしたがって配置されて成る。すなわち、特定の円心を有し、同心円のように直径がＸ側からＸ´側の方向に徐々に大きくなる円弧であり、一定の画線幅（Ｗ２）を有する潜像画線（７−２）が、特定のピッチ（Ｐ１）で連続して配置されて潜像画線群（５Ａ−２）を構成している。
【０１０７】
蒲鉾状曲画線群（４−２）を構成するそれぞれの蒲鉾状画線（６−２）と、潜像画線群（５−２）を構成するそれぞれの潜像画線（７−２）は、お互いに対を成す関係にある。第二の実施の形態においても第一の実施の形態と同様に、蒲鉾状曲画線群（４−２）と潜像画線群（５−２）を適正な位置関係で重ね合わせた場合には、それぞれ対を成す蒲鉾状画線（６−２）と潜像画線（７−２）は、それぞれの画線が完全に重なり合う関係にある。
【０１０８】
続いて、潜像画線群（５Ａ−２）及び潜像画線（７−２）の形成方法について、図１７を用いて説明する。第二の実施の形態と第一の実施の形態では、潜像画像の動きの方向が逆方向となるが、その違いは、以下に説明する潜像画線（７−２）の構成の違いによって生じる。
【０１０９】
ここでは、基画像（８−２）のほぼ中央に重なった蒲鉾状画線（６ｉ−２）と対を成す潜像画線（７ｉ−２）の作製方法について説明する。図１７（ａ）に示すのは基画像（８−２）であり、第一の実施の形態と同様に桜の花びらとした。
【０１１０】
図１７（ｂ）に、基画像（８−２）と蒲鉾状画線（６ｉ−２）の位置関係を示す。この蒲鉾状画線（６ｉ−２）と対を成す潜像画線（７ｉ−２）を作製するためには、まず、図１７（ｃ）に示すように、蒲鉾状画線（６ｉ−２）の画線中心から均等な距離（Ｈ／２）に２つの画線（６ｆｉ−２）を配置する。続いて、図１７（ｄ）に示すように、２つの画線（６ｆｉ−２）に挟まれた基画像（８ｉ−２）だけを選択して取り出す。ここまでは第一の実施の形態の潜像画線（７ｉ）の作製方法と全く同じである。
【０１１１】
第一の実施の形態との違いは、次の工程の有無であり、図１７（ｅ）に示すように、取り出した基画像（８ｉ−２）を、蒲鉾状画線（６ｉ−２）を中心線としてミラー反転する。これによって、取り出した基画像（８ｉ−２）は、反転した基画像（８ｉＲ−２）となる。
【０１１２】
ここで作製した反転した基画像（８ｉＲ−２）を、図１７（ｆ）に示すように、蒲鉾状画線（６ｉ−２）の中心に向かって、特定の縮率で蒲鉾状画線（６ｉ−２）に沿って圧縮する。これによって、図１７（ｇ）に示す、蒲鉾状画線（６ｉ−２）と対を成す潜像画線（７ｉ−２）が完成する。
【０１１３】
この作業を繰返してそれぞれの潜像画線（７−２）を作製し、対となる蒲鉾状画線（６−２）と同じ位置に配置する。すなわち、図１８に示すように、ある蒲鉾状画線（６ｉ−１０−２）に対応した潜像画線（７ｉ−１０−２）は、基の蒲鉾状画線（６ｉ−１０−２）と重なる位置に、また、異なる蒲鉾状画線（６ｉ−２）に対応した潜像画線（７ｉ−２）は、基の蒲鉾状画線（６ｉ−２）と重なる位置に、また、異なる別の蒲鉾状画線（６ｉ＋１０−２）に対応した潜像画線（７ｉ＋１０−２）は、基の蒲鉾状画線（６ｉ＋１０−２）と重なる位置に配置することで、潜像画線群（５Ａ−２）ができあがる。
【０１１４】
以上の手順で作製した潜像画線群（５−２）を、それぞれ対と成る蒲鉾状画線（６−２）と潜像画線（７−２）とが重なり合う位置関係として重ね合わせることで、印刷画像（３−２）が完成する。潜像画線（７−２）を印刷で形成する場合には、低光沢で透明なマットインキを用いることが望ましい。
【０１１５】
図１９に、本発明の効果を示す。印刷画像（３−２）に強い光が入射しない、拡散反射光下においては、潜像画像は不可視であり、単に印刷画像（３−２）のみが視認される（図示せず）。
【０１１６】
一方の正反射光下においては、桜の花びらを表した潜像画像が光のコントラストによって出現する。図１９（ａ）、図１９（ｂ）及び図１９（ｃ）に示すように、光に対する潜像印刷物（１−２）の傾きを変えて観察することによって、印刷画像（３−２）中の潜像画像の位置が変化し、潜像画像がそれぞれの蒲鉾状画線（６−２）と直交する方向に動いているように見える。第二の実施の形態においては、傾きが大きくなるにしたがって、第一の実施の形態とは逆のＡ側からＡ´側へと潜像画像が動いているように見える。
【０１１７】
以上のような効果が生じる原理について説明する。第一の実施の形態同様に、蒲鉾状画線（６−２）の表面には、それぞれ潜像画線（７−２）が形成されている。このため、光が入射した場合、蒲鉾状曲画線群（４−２）には特定のピッチで光を強く反射する領域が発生し、潜像画線群（５−２）も同じピッチでサンプリングされて可視化される。
【０１１８】
第二の実施の形態における潜像画線（７−２）は、一旦ミラー反転したのちに一定の割合で圧縮して形成しているため、正反射光下では、ミラー反転された逆像として再現されるものの、それぞれの潜像画線（７−２）は、同じ基画像（８−２）から構成されていることに変わりはないため、潜像画線（７−２）の集合である潜像画線群（５−２）全体としてサンプリングされた画像を見た場合には、第一の実施の形態と同様に、基画像（８−２）と同じ画像として出現する。
【０１１９】
しかし、潜像印刷物（１−２）を正反射光下で傾けることで、蒲鉾状画線（６−２）の光を正反射する画線表面がＡからＡ´の方向に移動した場合、潜像画線（７−２）も第一の実施の形態と同様に、ＡからＡ´の方向にサンプリングされるが、それぞれの潜像画線（７−２）は、ミラー反転されて基画像（８−２）の画像の位置情報は逆転しているため、再現された基画像（８−２）の動きの方向は、反対方向のＡ´からＡの方向に動く画像となる。
【０１２０】
以上のように、潜像画線（７−２）の構成方法を変えることによって、正反射光下で出現する潜像画像の動きの方向を逆方向に変えることができる。
【０１２１】
なお、第一の実施の形態で表した形態と、第二の実施の形態で表した形態については、一つの印刷画像の中で同時に実現することもできる。図２０に示した形態は、第一の実施の形態で構成した潜像画線群（５）と第二の実施の形態で構成した潜像画線群（５−２）を重ね合わせた潜像画線群（５−２´）を形成した潜像画像（３−２´）の概要図である。
【０１２２】
図２１（ａ）、図２１（ｂ）及び図２１（ｃ）に示すように、光に対する潜像印刷物（１−２´）の傾きを変えて観察することによって、一部の潜像画像はＡからＡ´方向へと、一部の潜像画像はＡ´からＡ方向へとそれぞれが逆方向に動く。このように、構成の異なった潜像画線群（５−２´）を一つの印刷画像（３−２´）の中に配置することで、潜像画像にそれぞれ逆向きの動きを付与することもできる。
【０１２３】
また、この場合、それぞれの潜像画像が動く距離自体は同じであっても、一つの印刷画像（３−２´）の中に逆方向に動く効果によって、動きをより強調することができる。動画効果が強調されれば、判別性も向上するため、真偽判別能も高まる。
【０１２４】
（第三の実施の形態）
続いて、第一の実施の形態と第二の実施の形態とは異なり、蒲鉾状曲画線群が同心円で成る形態であって、潜像画像が動いて見えるだけでなく、潜像画像の形状自体も変化する効果を有する潜像印刷物について、図２２から図３０を用いて説明する。
【０１２５】
図２２に、本発明における第三の実施形態の潜像印刷物（１−３）を示す。潜像印刷物（１−３）は、基材（２−３）上の少なくとも一部に、印刷画像（３−３）を有する。
【０１２６】
図２３に、本発明の印刷画像（３−３）の構成の概要を示す。印刷画像（３−３）は、Ａ−Ａ´断面図に示すように、盛り上がりを有し、曲万線状に構成された蒲鉾状曲画線群（４−３）の上に、潜像画線群（５−３）が積層されて成る。
【０１２７】
図２４に、蒲鉾状曲画線群（４−３）の詳細を示す。蒲鉾状曲画線群（４−３）は、特定の円心を有した円であり、Ａ−Ａ´断面図に示すように、一定の画線幅（Ｗ１）を有する蒲鉾状画線（６−３）が、特定のピッチ（Ｐ１）で、円弧の画線方向と直交する方向に連続して配置されて同心円状の蒲鉾状曲画線群（４−３）を構成している。
【０１２８】
以上のような構成の蒲鉾状曲画線群（４−３）を、Ａ−Ａ´断面図に示すように盛り上がりの有した形状で形成する。また、蒲鉾状画線（６−３）は、明暗フリップフロップ性又はカラーフリップフロップ性を備える
【０１２９】
図２５に、潜像画線群（５−３）の詳細を示す。潜像画線群（５−３）は、潜像画線（７−３）が前述の蒲鉾状曲画線群（４−３）における規則と、同じ規則にしたがって配置されて成る。すなわち、特定の円心を有した円であり、一定の画線幅（Ｗ２）を有する潜像画線（７−３）が、特定のピッチ（Ｐ１）で連続して配置されて同心円状の潜像画線群（５−３）を構成している。
【０１３０】
蒲鉾状曲画線群（４−３）を構成するそれぞれの蒲鉾状画線（６−３）と、潜像画線群（５−３）を構成するそれぞれの潜像画線（７−３）は、お互いに対を成す関係にある。図２６に示すように、蒲鉾状曲画線群（４−３）と潜像画線群（５−３）を適正な位置関係で重ね合わせた場合には、それぞれ対を成す蒲鉾状画線（６−３）と潜像画線（７−３）の中心は、完全に重なり合う関係にある。
【０１３１】
続いて、潜像画線群（５−３）及び潜像画線（７−３）の形成方法について、図２７を用いて説明する。基本的な形成方法は、第一の実施の形態と同じである。まず、潜像画線（７−３）の作製方法について説明する。ここでは、基画像（８−３）のほぼ中央に重なった蒲鉾状画線（６ｉ−３）と対を成す潜像画線（７ｉ−３）の作製方法について説明する。
【０１３２】
図２７（ａ）は、第三の実施の形態における基画像（８−３）であり、×印の彩紋とした。図２７（ｂ）に基画像（８−３）と蒲鉾状画線（６ｉ−３）の位置関係を示す。この蒲鉾状画線（６ｉ−３）と対を成す潜像画線（７ｉ−３）を作製するためには、まず、図２７（ｃ）に示すように、蒲鉾状画線（６ｉ−３）の画線中心から均等な距離（Ｈ／２）に２つの画線（６ｆｉ−３）を配置する。続いて、図２７（ｄ）に示すように、２つの画線（６ｆｉ−３）に挟まれた基画像（８ｉ−３）だけを選択して取り出す。ここで取り出した基画像（８ｉ−３）を、図２７（ｅ）に示すように、蒲鉾状画線（６ｉ−３）の中心に向かって、特定の縮率で蒲鉾状画線（６ｉ−３
）に沿って画線幅Ｗ２に圧縮する。これによって、図２７（ｆ）に示す蒲鉾状画線（６ｉ−３）と対を成す潜像画線（７ｉ−３）が完成する。
【０１３３】
この作業を繰り返して、それぞれの潜像画線（７−３）を作製し、対となる蒲鉾状画線（６−３）と同じ位置に配置する。すなわち、図２８に示すように、ある蒲鉾状画線（６ｉ−１０−３）に対応した潜像画線（７ｉ−１０−３）は、基の蒲鉾状画線（６ｉ−１０−３）と重なる位置に、また、異なる蒲鉾状画線（６ｉ−３）に対応した潜像画線（７ｉ−３）は、基の蒲鉾状画線（６ｉ−３）と重なる位置に、また、異なる別の蒲鉾状画線（６ｉ＋１０−３）に対応した潜像画線（７ｉ＋１０−３）は、基の蒲鉾状画線（６ｉ＋１０−３）と重なる位置に配置することで、潜像画線群（５−３）ができあがる。
【０１３４】
以上の手順で作製した潜像画線群（５−３）を、それぞれ対と成る蒲鉾状画線（６−３）と潜像画線（７−３）とが重なり合う位置関係として重ね合わせることで、印刷画像（３−３）が完成する。潜像画線（７−３）を印刷で形成する場合には、低光沢で透明なマットインキを用いることが望ましい。
【０１３５】
図２９に、本発明の効果を示す。印刷画像（３−３）に強い光が入射しない、拡散反射光下においては、図２９（ａ）に示すように、潜像画像は不可視であり、単に印刷画像（３−３）のみが視認される。
【０１３６】
一方の正反射光下においては、彩紋を表した潜像画像が光のコントラストによって出現する。図２９（ｂ）、図２９（ｃ）、図２９（ｄ）及び図２９（ｅ）に示すように、光に対する潜像印刷物（１−３）の傾きを変えて観察することによって、印刷画像（３−３）中の潜像画像の位置が変化し、潜像画像がそれぞれの蒲鉾状画線（６−３）と直交する方向に動いているように見える。
【０１３７】
図２９（ｂ）は、印刷画像（３−３）を正反射光下でＢ辺を図面上側へ傾けた状態であり、この場合、印刷画像（３−３）はＢ辺側へと移動する。図２９（ｃ）は、印刷画像（３−３）を正反射光下でＡ´辺を図面右側へ傾けた状態であり、この場合、印刷画像（３−３）はＡ´辺側へと移動する。図２９（ｄ）は、印刷画像（３−３）を正反射光下でＢ´辺を図面下側へ傾けた状態であり、この場合、印刷画像（３−３）はＢ´辺側へと移動する。図２９（ｅ）は、印刷画像（３−３）を正反射光下でＡ辺を図面左側へ傾けた状態であり、この場合、印刷画像（３−３）はＡ辺側へと移動する。
【０１３８】
以上のように、本実施の形態の蒲鉾状画線（６−３）は、円によって構成されているため、３６０°いかなる方向に傾けたとしても、潜像画像はそれに対応した方向へと動く特徴を有する。
【０１３９】
第三の実施の形態の潜像印刷物（３−３）においては、いかなる方向に傾けたとしても、潜像画像はそれに対応した方向に動く特徴に加え、第一の実施の形態及び第二の実施の形態とは異なり、印刷画像（３−３）の中の潜像画像の位置が変化するだけでなく、潜像画像の形状自体が変化する特徴を有する。
【０１４０】
形状が変化する効果について、図２９（ｃ）に示した印刷画像（３−３）を正反射光下でＡ´辺を図面右側へ傾けた状態を代表例として、図３０を用いて説明する。図３０（ａ）は、特許文献１に示した従来の技術で構成した場合に、図２９（ｃ）に示した、印刷画像（３−３）を正反射光下でＡ´辺を図面右側へ傾けた状態に出現する潜像画像であり、図３０（ｂ）は、本発明の潜像印刷物（３−３）において、図２９（ｃ）に示した、印刷画像（３−３）を正反射光下でＡ´辺を図面右側へ傾けた状態に出現する潜像画像である。
【０１４１】
従来の技術では、蒲鉾状画線は、全て同一の画線方向を成す直線で形成されていることから、出現した潜像画像は、図３０（ａ）に示すように、画線と直交する方向へと平行移動する。
【０１４２】
一方の本発明の潜像印刷物（３−３）においては、蒲鉾状画線（６−３）は円であり、蒲鉾状曲画線群（４−３）は、同心円を構成していることから、それぞれの領域において蒲鉾状画線（６−３）と直交する方向は変化している。潜像画像は、蒲鉾状画線（６−３）と直交する方向に動くことから、潜像画像のうち、円心から円周へ移動する画像は円周に向かって拡大し、潜像画像のうち、円周から円心へ移動する画像が円心に向かって縮小されるために、全体の形状が変化する効果が生まれる。以上のような形状変化の効果が、あらゆる角度に傾けた場合に生じる。
【０１４３】
この効果は、一つの潜像画像を構成する潜像画線群（５−３）が、画線方向の変化幅の大きい蒲鉾状曲画線群（４−３）の上に重なる構成となった場合により顕著になる。蒲鉾状曲画線群（４−３）を構成する蒲鉾状画線（６−３）の画線方向が、１０度以上変化している場合に認識可能であり、特に、３０度以上変化していることが望ましい。
【０１４４】
また、蒲鉾状画線（６−３）が楕円を含む円から成る場合、蒲鉾状画線（４−３）の円心に、一つの潜像画像を構成する潜像画線群（５−３）が重なった構成とすることで、潜像画像の形状変化をより大きなものとすることができる。
【０１４５】
なお、潜像画線群（５−３）とは、潜像画線群（５−３）の一番外周を形成している画線から内側の領域の全てを潜像画線群（５−３）とする。つまり、第三の実施形態に示す×印の彩紋のような閉鎖された画線の場合、一番外周の画線から内側の領域であるため、中央部分には画線が存在しないが、その部分も含め潜像画線群（５−３）とする。また、閉鎖された画線でない場合においても同様であり、一番外周を形成している画線から内側の領域の全てを潜像画線群（５−３）とする。
【０１４６】
以上のように、第三の実施の形態では、潜像画像は単にその位置が変化して動いて見えるだけでなく、形状自体が変化する効果が発揮される。
【０１４７】
（第四の実施の形態）
続いて、第三の実施の形態とほぼ同様な構成の潜像印刷物の一形態であって、第三の実施の形態の潜像画像とは逆方向に潜像画像が動き、かつ、形状も変化する潜像印刷物について図３１から図３６を用いて説明する。
【０１４８】
図３１に、本発明における第四の実施形態の潜像印刷物（１−４）を示す。潜像印刷物（１−４）は、基材（２−４）上の少なくとも一部に、印刷画像（３−４）を有する。
【０１４９】
図３２に、本発明の印刷画像（３−４）の構成の概要を示す。印刷画像（３−４）は、Ａ−Ａ´断面図に示すように、盛り上がりを有し、曲万線状に構成された蒲鉾状曲画線群（４−４）の上に、潜像画線群（５−４）が積層されて成る。
【０１５０】
図３３に、蒲鉾状曲画線群（４−４）の詳細を示す。具体的な構成は、第三の実施の形態と同様に特定の円心を有した円であり、一定の画線幅（Ｗ１）を有する蒲鉾状画線（６−４）が、特定のピッチ（Ｐ１）で、円弧の画線方向と直交する方向に連続して配置されて同心円状の蒲鉾状曲画線群（４−４）を構成している。
【０１５１】
以上のような構成の蒲鉾状曲画線群（４−４）を、Ａ−Ａ´断面図に示すように盛り上がりの有した形状で形成する。また、蒲鉾状画線（６−４）は、明暗フリップフロップ性又はカラーフリップフロップ性を備える。
【０１５２】
図３４に、潜像画線群（５−４）の詳細を示す。潜像画線群（５−４）は、潜像画線（７−４）が前述の蒲鉾状曲画線群（４−４）における規則と、同じ規則にしたがって配置されて成る。すなわち、特定の円心を有した円であり、一定の画線幅（Ｗ２）を有する潜像画線（７−４）が、特定のピッチ（Ｐ１）で連続して配置されて同心円状の潜像画線群（５−４）を構成している。
【０１５３】
蒲鉾状曲画線群（４−４）を構成するそれぞれの蒲鉾状画線（６−４）と、潜像画線群（５−４）を構成するそれぞれの潜像画線（７−４）は、お互いに対を成す関係にある。第四の実施の形態においても第三の実施の形態と同様に、蒲鉾状曲画線群（４−４）と潜像画線群（５−４）を適正な位置関係で重ね合わせた場合には、それぞれ対を成す蒲鉾状画線（６−４）と潜像画線（７−４）は、それぞれの画線中心が完全に重なり合う関係にある。
【０１５４】
続いて、潜像画線群（５−４）及び潜像画線（７−４）の形成方法について、図３５を用いて説明する。第四の実施の形態と第三の実施の形態では、潜像画像の動きの方向が異なるが、その違いは以下に説明する潜像画線（７−４）の構成の違いによって生じる。ここでは、基画像（８−４）のほぼ中央に重なった蒲鉾状画線（６ｉ−４）と対を成す潜像画線（７ｉ−４）の作製方法について説明する。
【０１５５】
図３５（ａ）に示すのは基画像（８−２）であり、十字の彩紋とした。図３５（ｂ）に基画像（８−４）と蒲鉾状画線（６ｉ−４）の位置関係を示す。この蒲鉾状画線（６ｉ−４）と対を成す潜像画線（７ｉ−４）を作製するためには、まず、図３５（ｃ）に示すように、蒲鉾状画線（６ｉ−４）の画線中心から均等な距離（Ｈ／２）に２つの画線（６ｆｉ−４）を配置する。続いて、図３５（ｄ）に示すように、２つの画線（６ｆｉ−４）に挟まれた基画像（８ｉ−４）だけを選択して取り出す。ここまでは、第三の実施の形態の潜像画線（７ｉ−４）の作製方法と全く同じである。
【０１５６】
第三の実施の形態との違いは、次の工程の有無であり、図３５（ｅ）に示すように、取り出した基画像（８ｉ−４）を蒲鉾状画線（６ｉ−４）を中心線としてミラー反転する。これによって、取り出した基画像（８ｉ−４）は反転した基画像（８ｉＲ−４）となる。ここで作製した反転した基画像（８ｉＲ−４）を、図３５（ｆ）に示すように、蒲鉾状画線（６ｉ−４）の中心に向かって、特定の縮率で蒲鉾状画線（６ｉ−４）に沿って画線幅Ｗ２に圧縮する。これによって、図３５（ｇ）に示す、蒲鉾状画線（６ｉ−４）と対を成す潜像画線（７ｉ−４）が完成する。
【０１５７】
この作業を繰返してそれぞれの潜像画線（７−４）を作製し、対となる蒲鉾状画線（６−４）と同じ位置に配置する。この手順は、第三の実施の形態と同様であるため省略する。
【０１５８】
以上の手順で作製した潜像画線群（５−４）を、それぞれ対と成る蒲鉾状画線（６−２）と潜像画線（７−４）とが重なり合う位置関係として重ね合わせることで、印刷画像（３−４）が完成する。潜像画線（７−４）を印刷で形成する場合には、低光沢で透明なマットインキを用いることが望ましい。
【０１５９】
図３６に、本発明の効果を示す。印刷画像（３−４）に強い光が入射しない、拡散反射光下においては、図３６（ａ）に示すように、潜像画像は不可視であり、単に印刷画像（３−４）のみが視認される。
【０１６０】
一方の正反射光下においては、彩紋を表した潜像画像が光のコントラストによって出現する。図３６（ｂ）、図３６（ｃ）、図３６（ｄ）及び図３６（ｅ）に示すように、光に対する潜像印刷物（１−４）の傾きを変えて観察することによって、印刷画像（３−４）中の潜像画像の位置が変化し、潜像画像がそれぞれの蒲鉾状画線（６−４）と直交する方向に動いているように見える。
【０１６１】
図３６（ｂ）は、印刷画像（３−４）を正反射光下でＢ辺を図面上側へ傾けた状態であり、この場合、印刷画像（３−３）はＢ´辺側へと移動する。図３６（ｃ）は、印刷画像（３−４）を正反射光下でＡ´辺を図面右側へ傾けた状態であり、この場合、印刷画像（３−３）はＡ辺側へと移動する。図３６（ｄ）は、印刷画像（３−４）を正反射光下でＢ´辺を図面下側へ傾けた状態であり、この場合、印刷画像（３−４）はＢ辺側へと移動する。図３６（ｅ）は、印刷画像（３−４）を正反射光下でＡ辺を図面左側へ傾けた状態であり、この場合、印刷画像（３−４）はＡ´辺側へと移動する。
【０１６２】
以上のように、第四の実施の形態の蒲鉾状画線（６−４）は、円によって構成されているため、３６０°いかなる方向に傾けたとしても、潜像画像はそれに対応した方向へと動く特徴を有する。また、動きの方向は、第三の実施の形態の潜像印刷物（１−３）の方向とは逆の方向となる。
【０１６３】
さらに、第三の実施の形態と同様に、印刷画像（３−４）の中の潜像画像の位置が変化するだけでなく、潜像画像の形状自体が変化する特徴を有する。形状の変化の傾向については、第三の実施の形態と同様であり、円周へと動く方向では拡大され、円心へと動く方向では縮小される。
【０１６４】
なお、第三の実施の形態で表した形態と、第四の実施の形態で表した形態については、一つの印刷画像の中で同時に実現することもできる。図３７に示した形態は、第三の実施の形態で構成した潜像画線群（５−３´）と第四の実施の形態で構成した潜像画線群（５−４´）を重ね合わせた潜像画線群（５−５´）を形成した潜像画像（３−５´）の概要図である。
【０１６５】
図３８（ａ）に示すように、拡散反射光下では潜像画像は不可視であって、図３８（ｂ）、図３８（ｃ）、図３８（ｄ）及び図３８（ｅ）に示すように、光に対する潜像印刷物（１−５´）の傾きを変えて観察することによって、それぞれの潜像画像が逆方向に動く。このように、構成の異なった潜像画線群（５−３´及び５−４´）を一つの印刷画像（３−５´）の中に配置することで、潜像画像にそれぞれ逆向きの動きと形状の変化を付与することもできる。
【０１６６】
また、この場合、それぞれの潜像画像が動く距離自体は同じであっても、一つの印刷画像（３−５´）の中に逆方向に動く効果と形状の変化が生じるため、動きや形状の変化をより強調することができる。動画効果や形状の変化が強調されれば、判別性も向上するため、真偽判別能も高まる。
【０１６７】
本発明における蒲鉾状画線（６）は、画線方向が連続的に変化する、曲がった線である必要があるが、蒲鉾状画線（６）内における画線方向は、角度にして少なくとも１０度以上変化するものとし、３０度以上変化することがより望ましい。
【０１６８】
１０度未満の角度変化では、従来の直線で蒲鉾状の画線が構成された印刷物と比較して、効果の面で顕著な差異が生じないためである。最も効果的な蒲鉾状画線（６）の構成は、第三の実施の形態及び第四の実施の形態で示した３６０度のあらゆる画線方向を有した円の構成であり、蒲鉾状曲画線群（４）全体として、同心円を構成する形態である。
【０１６９】
本発明における蒲鉾状曲画線群（４）及び潜像画線群（５）のピッチは、０．０５ｍｍ以上１．０ｍｍ以下で形成する。０．０５ｍｍ以下のピッチは、蒲鉾状画線（６）に３μｍ以上の盛り上がりを形成する場合には、一般的な印刷で再現することができる画線のピッチとしてはほぼ限界のピッチであり、印刷物品質の安定性に欠ける上に、たとえ、０．０５ｍｍ以下のピッチで画線を形成することができた場合でも、ほとんどの場合、出現する潜像画像の視認性が極端に低くなるため適当ではない。また、逆に、１.０ｍｍ以上のピッチで形成した場合には、潜像画像として再現することができる画像の解像度が極端に低くなってしまうため、同様に適切ではない。
【０１７０】
各潜像画線をミラー反転させた潜像画線（７）を用いて潜像画線群（５）を形成した場合、潜像画像の動きの方向が逆方向に変化するだけでなく、遠近感も逆転する。潜像画線（７）をミラー反転させない場合、出現する潜像画像は、印刷画像（３）自体よりも手前に存在するように感じられ、潜像画線（７）をミラー反転させた場合、出現する潜像画像は印刷画像（３）自体よりも奥に存在するように感じられる。
【０１７１】
このように、遠近感が逆転する原因は、ミラー反転の有無により潜像画像の動きの方向が逆方向に変化し、右眼で捉える潜像画像の位置と、左眼で捉える潜像画像の位置が逆転するために両眼視差に起因する遠近感も逆転するためである。
【０１７２】
また、潜像画線（７）を作製するにあたって、基画像（８）を取り出す幅（Ｈ）／潜像画線の画線幅（Ｗ２）の比率（縮率）を変えることで、出現する潜像画像の動きの速さや動き幅の大きさを制御することができる。縮率を大きく設計した場合には、出現した潜像画像は傾けた場合に早く動き、動きの幅も大きくなり、縮率を小さく設計した場合には、出現した潜像画像は傾けた場合に遅く動き、動きの幅も小さくなる。
【０１７３】
ただし、動きの早さや幅の大きさと、出現する潜像画像のシャープさは、トレードオフの関係にあり、縮率を大きく設計した場合には、出現する潜像画像は基画像（８）と比較してぼやけた画像となり、逆に縮率を小さく設計した場合には、出現する潜像画像は基画像（８）をほぼそのまま再現したようなシャープな画像となる。
【０１７４】
また、縮率は、動きの早さ、動きの幅の大きさ及び出現する潜像画像のシャープさに関係するだけでなく、遠近感にも関係する。すなわち、縮率を大きく設計した場合には、出現する潜像画像の遠近感は大きくなり、縮率を小さく設計した場合には、出現する潜像画像の遠近感は小さくなる。
【０１７５】
以上のように、縮率を変えることで、動きの速さ、動きの幅、潜像画像のシャープさ及び遠近感が変化する。縮率の具体的な数値の範囲については、基画像（８）の複雑さや蒲鉾状画線（６）の幅にも左右されるが、２以上１００以下程度で形成することが望ましい。
【０１７６】
縮率を２以下とした場合、立体的な視覚効果や動画的な視覚効果が低くなり過ぎ、１００以上とした場合、潜像画線の幅内に画像を圧縮した場合に印刷再現性を超えた解像度になる場合が多いためである。いずれにしても、ユーザの求める効果に応じて適宜、適正な数値を選択する必要がある。
【０１７７】
本発明を実施するための形態において、潜像画像として文字を例にして説明したが、これに限定される必要はなく、文字の他に記号又は図柄等でも形成可能である。
【０１７８】
なお、本明細書中でいう正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。
【０１７９】
例えば、虹彩色パールインキを例とすると、拡散反射の状態では、無色透明に見えるが、正反射した状態では、特定の干渉色を発する。正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【０１８０】
以下、前述の発明を実施するための形態にしたがって、具体的に作成した潜像印刷物の実施例について詳細に説明するが、本発明は、この実施例に限定されるものではない。
【実施例１】
【０１８１】
実施例１について、図３９から図４４を用いて説明する。図３９に、本発明の潜像印刷物（１−１１）を示す。潜像印刷物（１−１１）は、基材（２−１１）上に、印刷画像（３−１１）を有する。実施例１の潜像印刷物（１−１１）における基材（２−１１）は、一般的な白色コート紙（日本製紙製）を用いた。
【０１８２】
図４０に、本発明の印刷画像（３−１１）の構成の概要を示す。印刷画像（３−１１）は、Ａ−Ａ´断面図に示すように、盛り上がりを有し、曲万線状に構成された蒲鉾状曲画線群（４−１１）の上に、潜像画線群（５−１１）を積層して作製した。
【０１８３】
図４１に、蒲鉾状曲画線群（４−１１）の詳細を示す。特定の円心を有した円であり、画線幅０．３ｍｍの蒲鉾状画線（６−１１）が、０．４ｍｍピッチで連続して配置されて同心円状の蒲鉾状曲画線群（４−１１）を構成している。
【０１８４】
以上のような構成の蒲鉾状曲画線群（４−１１）を、蒸着アルミを顔料とする銀インキ（ミラシーン  ウォールステンホルム社製）を用いて、基材（２−１１）にスクリーン印刷によって印刷した。
【０１８５】
蒲鉾状画線（６−１１）の盛り上がりの高さは、約１２μｍであった。使用したインキは、拡散反射光下では、暗い灰色であるが、正反射光下では、明度が大きく上昇して白色へと変化する優れた明暗フリップフロップ性を備える。
【０１８６】
図４２に、潜像画線群（５−１１）の詳細を示す。潜像画線群（５−１１）は、第三の実施の形態及び第四の実施の形態で説明した潜像画線を一つの潜像画線群（５−１１）とした構成とした。
【０１８７】
すなわち、×印の彩紋を表す基画像（８Ａ−１１）を基に、縮率を２０としてミラー反転せずに形成した画線幅０．２ｍｍの潜像画線（７Ａ−１１）を０．４ｍｍピッチで蒲鉾状曲画線群（４−１１）と同じ同心円状に配置した潜像画線群（５Ａ−１１）と、十字の彩紋を表す基画像（８Ｂ−１１）を基に、縮率を２０としてミラー反転して形成した画線幅０．２ｍｍの潜像画線（７Ｂ−１１）を０．４ｍｍピッチで蒲鉾状曲画線群（４−１１）と同じ同心円状に配置した潜像画線群（５Ｂ−１１）を、それぞれの円心を等しく重ね合わせて一つの潜像画線群（５−１１）として構成した。なお、潜像画線（７Ａ−１１）及び潜像画線（７Ｂ−１１）は、互いに重ならないように配置されるが、各々の基画像（８Ａ−１１及び８Ｂ−１１）を同一の領域内に重ねて配置する場合、潜像画線（７Ａ−１１）及び潜像画線（７Ｂ−１１）が、画線領域を共有して形成することとなるが、本発明においては、これらの領域を共有する形態ついても、双方の潜像画線（７Ａ−１１及び７Ｂ−１１）を重ならないように配置したものとする。
【０１８８】
以上の構成の潜像画線群（５−１１）を透明なマットインキ（マットメジウム  Ｔ＆Ｋ  ＴＯＫＡ製）を用いてウェットオフセット印刷方式で、図４３に示すように、それぞれ対を成す蒲鉾状画線（６−１１）と潜像画線（７−１１）の画線中心が完全に重なり合う関係で蒲鉾状曲画線群（４−３）と潜像画線群（５−３）を重ね合わせて、潜像印刷物（１−１１）を形成した。
【０１８９】
図４４に、本実施例における潜像印刷物（１−１１）の効果を示す。潜像印刷物（１−１１）の印刷画像（３−１１）に強い光が入射しない拡散反射光下においては、図４４（ａ）に示すように、潜像画像は不可視であり、単に印刷画像（３−１１）のみが銀インキの拡散反射光下の色彩である暗い灰色で視認された。
【０１９０】
一方の正反射光下においては、二つの彩紋を表した潜像画像が光のコントラストによって出現した。すなわち、潜像画像は銀インキの拡散反射光下の色彩である暗い灰色で、印刷画像（３−１１）のその他の領域は、銀インキの正反射光下の色彩である白色の色彩で出現した。図４４（ｂ）、図４４（ｃ）、図４４（ｄ）及び図４４（ｅ）に示すように、光に対する潜像印刷物（１−１１）の傾きを変えて観察することによって、３６０°いかなる方向に傾けたとしても、印刷画像（３−１１）中の潜像画像の位置がそれぞれの蒲鉾状画線（６−１１）と直交する方向に動き、かつ、潜像画像の形状が変化して見えた。
【０１９１】
以上のように、拡散反射光下では潜像画像は不可視であり、正反射光下で潜像画像は銀インキの拡散反射光下の色彩である暗い灰色で、印刷画像（３−１１）のその他の領域は、銀インキの正反射光下の色彩である白色の色彩に彩られて出現した。また、正反射光下において３６０°いかなる方向に傾けたとしても、印刷画像（３−１１）中の潜像画像の位置がそれぞれの蒲鉾状画線（６−１１）と直交する方向に動き、かつ、潜像画像の形状が変化して見える効果を確認することができた。
【符号の説明】
【０１９２】
１、１−２、１−２、１−３、１−４、１−５、１−１１  潜像印刷物
２、２−２、２−２、２−３、２−４、２−５、２−１１  基材
３、３−２、３−２、３−３、３−４、３−５、３−１１  印刷画像
４、４−２、４−２、４−３、４−４、４−５、４−１１  蒲鉾状曲画線群
５、５−２、５−２、５−３、５−４、５−５、５−１１  潜像画線群
６、６−２、６−２、６−３、６−４、６−５、６−１１、６ｉ、６ｉ−２、６ｉ−２、６ｉ−３、６ｉ−４  蒲鉾状画線
６ｆｉ、６ｆｉ−２、６ｆｉ−３、６ｆｉ−４    切り出し用曲画線
７、７−２、７−２、７−３、７−４、７−５、７ｉ、７ｉ−２、７ｉ−２、７ｉ−３、７ｉ−４、７Ａ−１１、７Ｂ−１１    潜像画線
８、８−２、８−３、８−４、８Ａ−１１、８Ｂ−１１  基画像
８ｉ、８ｉ−２、８ｉ−３、８ｉ−４    取り出した基画像
９、９−２、９−２  光源
１０、１０−２、１０−２  観察者の視点
Ｗ１、Ｗ２  画線幅
Ｈ  基画像から切り出した画像の幅
Ｐ１  ピッチ
【図１】
2014151557.tif 000003
【図２】
2014151557.tif 000004
【図３】
2014151557.tif 000005
【図４】
2014151557.tif 000006
【図５】
2014151557.tif 000007
【図６】
2014151557.tif 000008
【図７】
2014151557.tif 000009
【図８】
2014151557.tif 000010
【図９】
2014151557.tif 000011
【図１０】
2014151557.tif 000012
【図１１】
2014151557.tif 000013
【図１２】
2014151557.tif 000014
【図１３】
2014151557.tif 000015
【図１４】
2014151557.tif 000016
【図１５】
2014151557.tif 000017
【図１６】
2014151557.tif 000018
【図１７】
2014151557.tif 000019
【図１８】
2014151557.tif 000020
【図１９】
2014151557.tif 000021
【図２０】
2014151557.tif 000022
【図２１】
2014151557.tif 000023
【図２２】
2014151557.tif 000024
【図２３】
2014151557.tif 000025
【図２４】
2014151557.tif 000026
【図２５】
2014151557.tif 000027
【図２６】
2014151557.tif 000028
【図２７】
2014151557.tif 000029
【図２８】
2014151557.tif 000030
【図２９】
2014151557.tif 000031
【図３０】
2014151557.tif 000032
【図３１】
2014151557.tif 000033
【図３２】
2014151557.tif 000034
【図３３】
2014151557.tif 000035
【図３４】
2014151557.tif 000036
【図３５】
2014151557.tif 000037
【図３６】
2014151557.tif 000038
【図３７】
2014151557.tif 000039
【図３８】
2014151557.tif 000040
【図３９】
2014151557.tif 000041
【図４０】
2014151557.tif 000042
【図４１】
2014151557.tif 000043
【図４２】
2014151557.tif 000044
【図４３】
2014151557.tif 000045
【図４４】
2014151557.tif 000046
【図４５】
2014151557.tif 000047